(57)【要約】      （修正有）【課題】再利用を防止可能な包装袋を提供する。【解決手段】第一面１０と第二面２０とを有し、上部に開口部３０が形成されている。第一面１０は、上端縁４１、左右２本のスリット４２，４３、及び折返線４４によって周囲を囲われた折返部４０と、折返部４０の左右方向両端から延出するように折返部４０と第一面１０の一部との間に挟み込まれた紐部材５０と、折返部４０と第一面１０の一部とが重なった重畳部分６０の周囲に形成された少なくとも一部がミシン目線である切離し可能線７０とを有する。これにより、重畳部分６０が第一面１０から切り離されるようになるため、包装袋の再利用が防止される。【選択図】図１
0003192668.tif 000002
【実用新案登録請求の範囲】
【請求項１】
第一面（１０）と，
前記第一面（１０）に重ね合わされた第二面（２０）と，を有し，
上部に開口部（３０）が形成されるようにして，前記第一面（１０）と前記第二面（２０）の周囲が閉じられている包装袋であって，
前記第一面（１０）は，
前記第一面（１０）の上端縁（４１）と，前記上端縁（４１）から上下方向に延びる左右２本のスリット（４２，４３）と，前記２本のスリット（４２，４３）の間を繋ぐように形成された折返線（４４）とによって周囲を囲われた折返部（４０）と，
前記折返部（４０）が前記第一面（１０）の外面側に向かって折り返された状態において，前記折返部（４０）の左右方向両端から延出するように，前記折返部（４０）と前記第一面（１０）の一部との間に挟み込まれた紐部材（５０）と，
前記折返部（４０）と前記第一面（１０）の一部とが重なった重畳部分（６０）の周囲に形成された，少なくとも一部がミシン目線である切離し可能線（７０）と，を有し，
これにより，前記重畳部分（６０）を前記第一面（１０）から切り離すことができる
包装袋。
【請求項２】
少なくとも前記第一面（１０）は，複数のシート部材（１１，１２…）を積層して形成されており，
前記折返部（４０）と前記切離し可能線（７０）は，前記第一面（１０）を構成する前記複数のシート部材（１１，１２…）のうちの最外層（１１）にのみ形成されている
請求項１に記載の包装袋。
【請求項３】
前記重畳部分（６０）には，前記折返線（４４）から前記切離し可能線（７０）に至るように，上下方向に延びるミシン目線又はスリットである取外し可能線（８１，８２）が，少なくとも１つ形成されている
請求項１又は請求項２に記載の包装袋。
【請求項４】
前記重畳部分（６０）には，左側の取外し可能線（８１）と，右側の取外し可能線（８２）が形成されており，
前記重畳部分（６０）は，前記左側の取外し可能線（８１）よりも左方に位置する左方部分（６１）と，前記左側の取外し可能線（８１）と前記右側の取外し可能線（８２）の間に位置する中間部分（６２）と，前記右側の取外し可能線（８２）よりも右方に位置する右方部分（６３）とに区分されており，
前記左方部分（６１）と前記右方部分（６３）において，前記紐部材（５０）は，前記折返部（４０）と前記第一面（１０）の一部との間に固定されており，
前記中間部分（６２）において，前記紐部材（５０）は，前記折返部（４０）と前記第一面（１０）の一部との間に固定されていない
請求項３のいずれかに記載の包装袋。
【考案の詳細な説明】
【技術分野】
【０００１】
本考案は，米などの穀物を収納するのに適した包装袋に関する。
【背景技術】
【０００２】
一般的に，米などの穀物を生産する農家は，穀物を収穫して出荷する際に，収穫した穀物を比較的大型の紙製包装袋に収納することとしている。このような紙製包装袋は，クラフト紙を積層することで比較的丈夫な構造となっていることが多い。また，紙製包装袋の上部には，穀物を出し入れするための開口部が形成されており，この開口部の近傍には紐部材が取り付けられている。このため，包装袋の中に穀物を詰め込んだ後に，紐部材を利用して開口部を閉じることができるようになっている。このような構造の包装袋は，例えば特許文献１に開示されている。
【先行技術文献】
【特許文献】
【０００３】
【特許文献１】実用新案登録第３１８９８６５号
【考案の概要】
【考案が解決しようとする課題】
【０００４】
上記のように，従来の穀物用の包装袋は，クラフト紙を積層することで比較的丈夫な構造となっているとともに，紐部材を利用して開口部を開け閉めできることから，再利用することが容易であった。
【０００５】
ところで，穀物用の包装袋には，一般的に，穀物の生産地や，生産者名，銘柄などが印刷されている。特に，米には各生産地においてブランド米と呼ばれるものが存在しており，その銘柄が，非常に高い顧客吸引力を有するとともに，一定の品質であることを保証する重要な役割を担う。しかしながら，上記した従来の包装袋のように，一度穀物を収納して出荷した後に再利用することが容易な構造であると，ある穀物の銘柄が印刷された包装袋に，他の銘柄の穀物を収納して出荷することも容易にできてしまう。このように，再利用された包装袋の中に異なる銘柄の穀物が収容されていると，穀物を取り扱う卸売業者や小売業者に出所の誤認や混合を生じさせるおそれがあるという問題があった。
【０００６】
このため，現在では，再利用を防止することのできる包装袋が求められている。
【課題を解決するための手段】
【０００７】
そこで，本考案の考案者は，上記の従来技術の問題を解決する手段について鋭意検討した結果，包装袋の片面の一部を折り返して，その折返部によって紐部材を挟み込んで固定するとともに，その折返部の周囲にミシン目又はスリットを形成することとした。これにより，紐部材を利用して包装袋の開口を一度閉じると，ミシン目又はスリットによって，紐部材と折返部とが包装袋から切り離されるようになるため，この紐部材を利用して包装袋の開口を再度閉じることが難しくなる。従って，包装袋の再利用を防止することができる。そして，本考案者は，上記知見に基づけば，従来技術の問題を解決できることに想到し，本考案を完成させた。
具体的に説明すると，本考案は以下の構成を有する。
【０００８】
本考案に係る包装袋は，第一面１０と，この第一面１０に重ね合わされた第二面２０とを有している。
これらの第一面１０と第二面２０は，上部に開口部３０が形成されるようにして，その周囲が閉じられている。
なお，第一面１０と第二面２０は，一体のシート部材を折り畳むことにより形成されたものであってもよいし，別々のシート部材から構成されたものであってもよい。つまり，第一面１０と第二面２０は，一体であってもよいし，別体であってもよい。
また，第一面１０は，折返部４０と，紐部材５０と，切離し可能線７０と，を有する。
折返部４０は，第一面１０の上端縁４１と，この上端縁４１から上下方向に延びる左右２本のスリット４２，４３と，これら２本のスリット４２，４３の間を繋ぐように形成された折返線４４とによって周囲を囲われた部分である。
紐部材５０は，折返部４０が第一面１０の外面側に向かって折り返された状態において，折返部４０と第一面１０の一部との間に挟み込まれる部材である。紐部材５０は，折返部４０によって挟み込まれた状態において，折返部４０の左右方向両端から延出している。
切離し可能線７０は，折返部４０と第一面１０の一部とが重なった重畳部分６０の周囲に形成される。切離し可能線７０は，少なくとも一部がミシン目線となっている。つまり，切離し可能線７０は，一部分がミシン目線となっていればよく，その他の部分はミシン目線又はスリットによって形成されていればよい。
これにより，切離し可能線７０を破断させることで，紐部材５０が挟み込まれている重畳部分６０を，第一面１０から切り離すことができる。
【０００９】
上記構成のように，紐部材５０を挟み込んでいる折返部４０は，ミシン目線を含む切離し可能線７０によって囲われている。このため，紐部材５０を縛って包装袋の開口部３０を閉じると，この切離し可能線７０が破断する可能性が高い。従って，紐部材５０を解いて閉じられた開口部３０を開くと，この紐部材５０は第一面１０から切り離されるようになるため，もう一度この紐部材５０を利用して開口部３０を閉じることが難しくなる。このように，紐部材５０を挟み込んでいる折返部４０の周囲を破断しやすくすることで，包装袋の再利用を防止することができる。
【００１０】
本考案に係る包装袋において，少なくとも第一面１０は，複数のシート部材１１，１２…を積層して形成されていることが好ましい。この場合に，折返部４０と切離し可能線７０は，第一面１０を構成する複数のシート部材１１，１２…のうちの少なくとも最外層１１に形成されていることが好ましい。ただし，折返部４０と切離し可能線７０は，最外層１１だけでなく，中間層や，最内層にも形成することもできる。
【００１１】
上記構成のように，複数のシート部材１１，１２…を積層して包装袋を形成することで，包装袋が丈夫になる。他方，包装袋の最外層１１にのみ折返部４０と切離し可能線７０を形成することで，折返部４０の周囲が切り離されやすくなる。このため，包装袋の耐久性を高めつつ，この包装袋の再利用を効果的に防止できる。
【００１２】
本考案に係る包装袋において，重畳部分６０には，少なくとも１つの取外し可能線８１，８２が形成されていることが好ましい。取外し可能線８１，８２は，ミシン目線又はスリットである。取外し可能線８１，８２は，折返線４４から切離し可能線７０に至るように，上下方向に延びて形成されている。
【００１３】
上記構成のように，重畳部分６０に，上下方向に延びる取外し可能線８１，８２を形成しておくことで，紐部材５０を利用して開口部３０を閉じたときに，取外し可能線８１，８２が破断して，この重畳部分６０の一部が取り外されやすくなる。よって，包装袋を再利用しにくくなる。
【００１４】
本考案に係る包装袋において，重畳部分６０には，左側の取外し可能線８１と，右側の取外し可能線８２が形成されていることが好ましい。
この場合，重畳部分６０は，左方部分６１と，中間部分６２と，右方部分６３とに区分されることとなる。つまり，左方部分６１は，左側の取外し可能線８１よりも左方に位置する部分である。中間部分６２は，左側の取外し可能線８１と右側の取外し可能線８２の間に位置する部分である。右方部分６３は，右側の取外し可能線８２よりも右方に位置する部分である。
さらに，左方部分６１と右方部分６３において，紐部材５０は，折返部４０と第一面１０の一部との間に，接着剤などによって固定されていることが好ましい。
また，中間部分６２において，紐部材５０は，折返部４０と第一面１０の一部との間に固定されていないことが好ましい。
【００１５】
上記構成のように，紐部材５０を中間部分６２において固定しないようにすることで，紐部材５０を使って包装袋を封緘した後に，この紐部材５０を左方部分６１又は右方部分６３から引っ張ると，この紐部材５０が抜けるようになる。中間部分６２が第一面１０から切り離されていない状態であっても，紐部材５０が抜けてしまうと，包装袋を再利用することが難しくなる。このように紐部材５０を抜けやすくすることで，包装袋の再利用を防止できる。
【考案の効果】
【００１６】
本考案によれば，再利用を防止可能な包装袋を提供することができる。
【図面の簡単な説明】
【００１７】
【図１】図１は，一実施形態に係る包装袋の外観図である。
【図２】図２は，一実施形態に係る包装袋の平面図であって，紐部材の固定方法を示している。
【図３】図３は，一実施形態に係る包装袋の外観図であって，紐部材を固定されている重畳部分が切り離された状態を示している。
【図４】図４は，一実施形態に係る包装袋の外観図であって，紐部材が重畳部分から抜ける様子を示している。
【考案を実施するための形態】
【００１８】
以下，図面を用いて本考案を実施するための形態について説明する。本考案は，以下に説明する形態に限定されるものではなく，以下の形態から当業者が自明な範囲で適宜修正したものも含む。
【００１９】
本考案は，米などの穀物を収納するのに適した包装袋に関する。本考案の一実施形態に係る包装袋１００は，図１〜図４に示されている。図１〜図４を参照して，包装袋１００の一実施形態について説明する。
【００２０】
図１は，包装袋１００の開口部３０が開いた状態を示している。図１に示されるように，包装袋１００は，第一面１０と第二面２０とを重ね合わせることによって形成されている。第一面１０と第二面２０は，包装袋１００の上方に開口部３０を形成しつつ，この開口部３０を除く周囲において閉じられている。図１に示した本実施形態では，第一面１０と第二面２０とが一体のシート部材によって形成されている。このため，本実施形態の包装袋１００は，一体のシート部材を折り畳むことによって，互いに重なり合う第一面１０と第二面２０が形成されるとともに，開口部３０を除く三方において閉じられた構造となる。このように，包装袋１００は，上方の開口部３０から穀物などの収容物を出し入れすることができる袋状に構成されている。
【００２１】
また，図１に示されるように，包装袋１００は，複数のシート部材１１，１２，１３を積層した積層シートによって構成されていることが好ましい。図１に示した例では，包装袋１００は，３層のシート部材１１〜１３によって形成されている。包装袋１００を構成する各シート部材１１〜１３は，紙製，合成樹脂製，又は布製であってもよし，金属フィルムであってもよい。また，各シート部材１１〜１３ごとに素材を異ならせてもよい。本実施形態では，米などの穀物を収容するのに適していることから，各シート部材１１〜１３は，クラフト紙などの紙製とすることが好ましい。
【００２２】
図１に示されるように，包装袋１００の第一面１０は，折返部４０を有する。また，図２には，この折返部４０の形成方法が示されている。図１及び図２に示されるように，折返部４０は，包装袋１００の第一面１０の上端部分に形成されるものである。すなわち，折返部４０は，第一面１０の上端縁４１と，この上端縁４１から上下方向に延びる左右２本のスリット４２，４３と，これらの２本のスリット４２，４３の間を繋ぐように形成された折返線４４とによって周囲を囲われた部分となる。なお，図２（ａ）において，折返線４４は，一点鎖線で示されている。このように，折返部４０は，折返線４４に折り目として，包装袋１００の外側に向かって折り返すことが可能である。
【００２３】
具体的に説明すると，折返部４０は，左側のスリット４２と右側のスリット４３によって，第一面１０から切り離されている。左右のスリット４２，４３は，上端縁４１から上下方向に延びる直線状であることが好ましい。ただし，スリット４２，４３の形状は，上端縁４１から上下方向に延びるものであればよく，直線状の他，曲線，屈折線，波線，又はジグザグ線とすることもできる。また，２本のスリット４２，４３を形成する位置は特に限定されないが，例えば，２本のスリット４２，４３の間の間隔は，第一面１０の左右方向の横幅に対し，５０％〜１００％，７０％〜９５％，又は８０％〜９０％とすればよい。なお，２本のスリット４２，４３の間の間隔は，折返部４０の左右方向の横幅に相当する。
【００２４】
また，折返線４４は，２本のスリット４２，４３の間の部分（折返部４０）を，包装袋１００の第一面１０の外側に向かって折り返すための折れ線である。折返線４４は，左右の２本のスリット４２，４３の間を繋ぐようにして形成されている。折返線４４は，２本のスリット４２，４３の下端同士を繋ぐ直線状に形成されていることが好ましい。
【００２５】
ここで，図１に示した実施形態において，折返部４０は，第一面１０を構成する３層のシート部材１１〜１３の内，最も外側に位置する最外層１１にのみ形成されている。つまり，折返部４０を形成するための２本のスリット４２，４３や，折返線４４は，第一面１０の最外層１１にのみ形成されていることが好ましい。ただし，図示は省略するが，本考案の他の実施形態では，折返部４０を，３層のシート部材１１〜１３のうちの最外層１１だけでなく，中間に位置する中間層１２や，最も内側に位置する最内層１３を重ね合わせた状態で構成することもできる。その場合，２本のスリット４２，４３や折返線４４は，３層のシート部材１１〜１３のすべてに形成される。
【００２６】
また，図１に示されるように，折返部４０が，第一面１０の外面側に向かって折り返されることで，この折返部４０と第一面１０の一部とが重なり合った重畳部分６０が形成されている。そして，この重畳部分６０においては，折返部４０と第一面１０の一部との間に紐部材５０が挟み込まれている。また，図２には，折返部４０を折り返したときに，紐部材５０が挟み込まれる様子が示されている。
【００２７】
紐部材５０は，少なくとも，折返部４０の左右方向両端から延出するようにして，重畳部分６０に取り付けられる。例えば，紐部材５０は，折返部４０の横幅よりも長いものを用いることが好ましい。また，重畳部分６０に取り付ける紐部材５０の数は，１本であってもよいし，２本以上であってもよい。紐部材５０は，包装袋１００の開口部３０と閉じる際に利用することができるものである。すなわち，折返部４０の左右両端から延出する紐部材５０を適宜縛ることで，包装袋１００の開口部３０が閉じられる。紐部材５０は，公知の素材を用いて形成することができ，紙製，合成樹脂製，又は布製とすればよい。
【００２８】
図１に示されるように，第一面１０には，紐部材５０を挟み込んでいる重畳部分６０の周囲を囲うように，切離し可能線７０が形成されている。切離し可能線７０は，少なくとも一部がミシン目線で形成されていればよく，その他の部分はミシン目線又はスリットによって形成することができる。切離し可能線７０は，重畳部分６０を第一面１０から切り離すことができるように，この重畳部分６０の周囲に形成されている。特に，切離し可能線７０は，重畳部分６０の外縁に沿って形成されていることが好ましい。ただし，切離し可能線７０は，重畳部分６０の外縁から多少のゆとり（クリアランス）をもって形成されていてもよい。また，包装袋１００が複数層で構成されている場合において，折返部４０がその最外層１１にのみ形成されているときには，切離し可能線７０は，折返部４０と同様に，最外層１１にのみ形成すればよい。
【００２９】
また，図示は省略するが，包装袋１００の各シート部材がそれぞれ一体のシート部材を折りたたんで形成されている場合，包装袋１００の第一面１０又は第二面２０にシート部材の両端部を接着剤等で貼り合せる部位に繋ぎ目が生じる。切離し可能線７０がこの繋ぎ目を横断する箇所には，切離し可能線７０から接着剤が漏出するのを防止するため，切離し可能線７０を形成しなくてもよい。
【００３０】
具体的に説明すると，本実施形態において，切離し可能線７０は，上下方向に延びる左右２つの縦線７１，７２と，これらの左側の縦線７１と右側の縦線７２を繋ぐように左右方向に延びる横線７３とによって，コの字型に形成されている。左右の縦線７１，７２は，折返部４０を形成するための左右のスリット４２，４３にそれぞれ繋がっている。また，横線７３は，折返部４０を形成するための折返線４４とほぼ平行に形成されている。これらの２つの縦線７１，７２及び１つの横線７３のうち，例えば，横線７３をミシン目線で形成し，２つの縦線７１，７２をスリットで形成してもよい。また，２つの縦線７１，７２をミシン目線で形成し，横線７３をスリットで形成してもよい。また，２つの縦線７１，７２と横線７３のすべてをミシン目線で形成することもできる。また，例えば，横線７３の一部分をミシン目線で形成し，他部分をスリットすることも可能である。
【００３１】
上記のように，紐部材５０を挟み込んでいる重畳部分６０の周囲に切離し可能線７０を形成することで，この重畳部分６０が第一面１０から切り離されるようになる。図３には，重畳部分６０が切り離された状態が示されている。例えば，紐部材５０を結んで包装袋１００の開口部３０を閉じるためには，紐部材５０がある程度強い力で引っ張られる。このとき，紐部材５０を引っ張る力により，切離し可能線７０が破断する可能性が高い。このため，一度目の封緘時には，紐部材５０を利用して開口部３０を適切に閉じることができるものの，紐部材５０を解いてしまうと，二度目以降の封緘時には，この紐部材５０を利用し難くなる。特に図３に示されるように，紐部材５０が包装袋１００の第一面１０から切り離された後には，この紐部材５０を包装袋１００の封緘には使えない。従って，このような構造とすることで，包装袋１００の再利用を防止できる。
【００３２】
図１に示されるように，本考案に係る包装袋１００は，重畳部分６０に，取外し可能線８１，８２が形成されていることが好ましい。取外し可能線８１，８２は，折返線４４から切離し可能線７０に至るように，上下方向に延びるミシン目線又はスリットである。つまり，取外し可能線８１，８２は，重畳部分６０を構成する折返部４０と，この折返部４０が重ね合わされる第一面１０の一部とを貫通するように形成されたミシン目線又はスリットである。取外し可能線８１，８２は，重畳部分６０に１つ形成されていてもよいし，２つ以上形成されていてもよい。図１に示されるように，取外し可能線８１，８２は２つ形成されていることが好ましい。このように，取外し可能線８１，８２を形成しておくことで，紐部材５０が引っ張られたときに，重畳部分６０の一部が紐部材５０とともに，第一面１０から取り外されるようになる。このため。包装袋１００を再封緘に難くなる。
【００３３】
続いて，図２を参照して，折返部４０と第一面１０の一部との間に，紐部材５０を固定する方法について説明する。ここで，図１及び図２に示されるように，左右の２つの取外し可能線８１，８２を境界として，折返部４０と第一面１０の一部とが重なる重畳部分６０を３つの領域に区分することができる。重畳部分６０は，左方部分６１と，中間部分６２と，右方部分６３とに区分される。つまり，左方部分６１は，左側の取外し可能線８１よりも左方に位置する部分である。中間部分６２は，左側の取外し可能線８１と右側の取外し可能線８２の間に位置する部分である。右方部分６３は，右側の取外し可能線８２よりも右方に位置する部分である。
【００３４】
図２において，斜線で示した部分は，第一面１０との間に形成された固定部９１〜９３を示している。固定部９１〜９３は，公知の接着剤や粘着剤などで形成すればよい。図２に示されるように，重畳部分６０のうち，左方部分６１には左方固定部９１が形成され，中間部分６２には中間固定部９２が形成され，右方部分６３には右方固定部９３が形成されている。
【００３５】
図２に示されるように，重畳部分６０のうちの左方部分６１と右方部分６３において，紐部材５０は，左方固定部９１と右方固定部９３によって，折返部４０と第一面１０の間に固定されている。併せて，左方固定部９１と右方固定部９３は，折返部４０と第一面１０の間にも形成されている。これにより，紐部材５０は，重畳部分６０のうちの左方部分６１と右方部分６３には，独立して動かないように固定されていることとなる。他方，図２に示されるように，重畳部分６０のうちの中間部分６２において，紐部材５０は固定されていない。つまり，この中間部分６２に形成された中間固定部９２は，折返部４０と第一面１０の間に設けられているだけであり，紐部材５０に重なっていない。このため，重畳部分６０の中間部分６２において，紐部材５０は独立して動くことができるようになっている。
【００３６】
このように，少なくとも重畳部分６０のうちの中間部分６２において，紐部材５０を固定しないようにすることで，この紐部材５０を左側又は右側から引っ張ると，この紐部材５０が重畳部分６０から抜けるようになる。図４には，紐部材５０が重畳部分６０から抜ける様子が示されている。図４に示されるように，重畳部分６０の右方部分６３と左方部分６１とを，取外し可能線８１，８２に沿って中間部分６２から取り外す。その後，紐部材５０を右側に向かって引っ張ることで，紐部材５０が重畳部分６０の中間部分６２から抜けるようになる。これにより，重畳部分６０のうちの中間部分６２が，切離し可能線７０に沿って第一面１０から切り離されていない状態であっても，紐部材５０を簡単に抜くことができる。そして，紐部材５０が抜けてしまえば，この紐部材５０を利用して，包装袋１００を封緘することが難しくなる。従って，このような使用態様によっても，包装袋１００の再利用を防止することができる。
【００３７】
以上のように，本考案に係る包装袋１００では，図３に示した態様や図４に示した態様によって，紐部材５０が包装袋１００から切り離され易いものとなっている。特に，紐部材５０を利用して包装袋１００を一度封緘した後には，図３や図４に示された態様により，紐部材５０が切り離されてしまう可能性が高い。そうすると，紐部材５０を利用して包装袋１００を再封緘することが難しくなる。従って，本考案によれば，包装袋１００の再利用を防止することができる。
【００３８】
以上，本願明細書では，本考案の内容を表現するために，図面を参照しながら本考案の実施形態の説明を行った。ただし，本考案は，上記実施形態に限定されるものではなく，本願明細書に記載された事項に基づいて当業者が自明な変更形態や改良形態を包含するものである。
【産業上の利用可能性】
【００３９】
本考案は，米などの穀物を収納するのに適した包装袋に関する。従って，本考案は，包装資材の製造業などにおいて好適に利用し得る。
【符号の説明】
【００４０】
１０…第一面                  １１…シート部材（最外層）
１２…シート部材（中間層）    １３…シート部材（最内層）
２０…第二面                  ３０…開口部
４０…折返部                  ４１…上端縁
４２…スリット（左側）        ４３…スリット（右側）
４４…折返線                  ５０…紐部材
６０…重畳部分                ６１…左方部分
６２…中間部分                ６３…右方部分
７０…切離し可能線            ７１…縦線（左側）
７２…縦線（右側）            ７３…横線
８１…取外し可能線（左側）    ８２…取外し可能線（右側）
９１…左方固定部              ９２…中間固定部
９３…右方固定部              １００…包装袋
【図１】
0003192668.tif 000003
【図２】
0003192668.tif 000004
【図３】
0003192668.tif 000005
【図４】
0003192668.tif 000006
【手続補正書】
【提出日】平成26年6月24日(2014.6.24)
【手続補正１】
【補正対象書類名】実用新案登録請求の範囲
【補正対象項目名】請求項４
【補正方法】変更
【補正の内容】
【請求項４】
前記重畳部分（６０）には，左側の取外し可能線（８１）と，右側の取外し可能線（８２）が形成されており，
前記重畳部分（６０）は，前記左側の取外し可能線（８１）よりも左方に位置する左方部分（６１）と，前記左側の取外し可能線（８１）と前記右側の取外し可能線（８２）の間に位置する中間部分（６２）と，前記右側の取外し可能線（８２）よりも右方に位置する右方部分（６３）とに区分されており，
前記左方部分（６１）と前記右方部分（６３）において，前記紐部材（５０）は，前記折返部（４０）と前記第一面（１０）の一部との間に固定されており，
前記中間部分（６２）において，前記紐部材（５０）は，前記折返部（４０）と前記第一面（１０）の一部との間に固定されていない
請求項３に記載の包装袋。